(57)【要約】      （修正有）【課題】収納容器に添付された票札の無線タグに十分な電力を供給し、動作不良の防止を図った無線タグケースを提供する。【解決手段】無線タグ１３を付した物品を収納する収納容器４に、収納する物品のリスト情報を記録した無線タグ１３付きの票札９を収納容器４に添付する際、票札９に付される無線タグ１３のアンテナ部１４が収納容器４の壁面と接触するのを防止する壁面接触防止手段１７を設ける。【選択図】図２
2005255211.tif 000002
【特許請求の範囲】
【請求項１】
無線タグを付した物品を収納する収納容器に、収納する物品のリスト情報を記録した無線タグ付きの票札が添付されており、前記収納容器に添付された票札に付される無線タグのアンテナ部が前記収納容器の壁面と接触するのを防止する壁面接触防止手段を設けたことを特徴とする無線タグケース。
【請求項２】
前記壁面接触防止手段は、前記収納容器に票札が添付された状態で、前記収納容器と前記票札の無線タグのアンテナ部との間に空気層を確保する壁面接触防止窓孔であることを特徴とする請求項１記載の無線タグケース。
【請求項３】
前記壁面接触防止窓孔は、前記収納容器の何れかの壁面に設けられることを特徴とする請求項２記載の無線タグケース。
【請求項４】
前記壁面接触防止手段は、前記収納容器に票札が添付された状態で、前記収納容器と前記票札の無線タグのアンテナ部との間に空気層を確保する壁面接触防止窓孔であり、この壁面接触防止窓孔は、前記票札の無線タグが前記壁面防止窓孔に収まる大きさに形成されることを特徴とする請求項１記載の無線タグケース。
【請求項５】
前記壁面接触防止手段は、前記収納容器に票札が添付された状態で、前記収納容器と前記票札の無線タグのアンテナ部との間に空気層を確保する壁面接触防止窓孔であり、この壁面接触防止窓孔は、貫通穴およびめくら穴のいずれかであることを特徴とする請求項１記載の無線タグケース。
【請求項６】
前記壁面接触防止手段は、前記収納容器に票札が添付された状態で、前記収納容器と前記票札の無線タグのアンテナ部との間に空気層を確保する壁面接触防止窓孔であり、この壁面接触防止窓孔は、少なくとも１以上の穴で構成されることを特徴とする請求項１記載の無線タグケース。
【請求項７】
無線タグを付した物品を収納する収納容器の一部を他の部分よりも誘電率が低くなるように形成したことを特徴とする無線タグケース。
【発明の詳細な説明】
【技術分野】
【０００１】
本発明は、無線タグを用いて内容物を識別する票札を添付して内容物を収納する収納ケースに係り、特に、無線タグの電波受信効率の向上を図った無線タグケースに関する。
【背景技術】
【０００２】
書留郵便や小包郵便を配送する際には、郵袋と呼ばれる袋を使用しており、配送対象物を郵袋に入れ封緘をした後、内容物の情報を記録した無線タグを付した札（以下、票札とする）を郵袋の表側に付しておく方法が採用されている。
【０００３】
しかしながら、郵袋の場合、内容物に欠品が発生した場合または内容物が内容物リストと異なる場合、手作業で内容物リストと照合する必要があり、最悪の場合には、全ての内容物について照合作業を行うこととなる。
【０００４】
そこで、内容物に欠品が発生した場合に生ずる内容物と内容物リストとの照合作業の負担を軽減すべく、郵袋の代わりに書留郵便や小包郵便等の配送対象物を整理して収納できるように構成したケース（以下、無線タグケースとする。）を使用し、票札を添付する方法が提案されている。
【０００５】
無線タグケースは、配送対象物を収納する収納容器の内部が仕切板によって何区画に仕切られており、各区画に配送対象物を整理して収納することができる。また、収納容器の外表面には、票札を収納容器に添付する際に外部から票札を確認できるように構成された票札ポケットが設けられており、票札は票札ポケットに格納され添付される。
【発明の開示】
【発明が解決しようとする課題】
【０００６】
しかしながら、上述したような無線タグケースにおいて、票札ポケットは、無線タグケースにおける収納容器の外表面に取り付けられることになるので、票札ポケットに格納された状態では、収納容器と票札の無線タグとが接する状態となる。
【０００７】
無線タグケースと票札とは物質の誘電率が異なる。誘電率の異なる物質の境界面沿いに電流が流れた場合、誘電率の低い物質側において、誘電率の高い物質側の電界が弱まる現象が発生する。収納容器と票札との場合では、誘電率が低い物質側が票札、誘電率が高い物質側が収納容器となるので、票札の収納容器側の電界が弱まり、票札の無線タグに十分な電力が供給されなくなる事態を招来する。
【０００８】
つまり、無線タグケースにおいては、票札ポケットに格納された票札の無線タグに十分な電力が供給されない結果、無線タグに格納される情報を読み取りにくく、動作不良が生じやすくなるという課題がある。
【０００９】
本発明は、上述した課題を解決するためになされたものであって、票札格納手段（票札ポケット）に格納され、収納容器に添付された票札の無線タグに十分な電力を供給し、動作不良の防止を図った無線タグケースを提供することを目的とする。
【課題を解決するための手段】
【００１０】
本発明に係る無線タグケースは、上述する課題を解決するため、請求項１に記載したように、無線タグを付した物品を収納する収納容器に、収納する物品のリスト情報を記録した無線タグ付きの票札が添付されており、前記票札に付される無線タグのアンテナ部が前記収納容器の壁面と接触するのを防止する壁面接触防止手段を設けたことを特徴とする。
【００１１】
上述する課題を解決するため、本発明に係る無線タグケースは、請求項２に記載したように、前記壁面接触防止手段は、前記収納容器に票札が添付された状態で、前記票札の無線タグのアンテナ部が空気にさらされるように形成された壁面接触防止窓孔であることを特徴とする。
【００１２】
また、上述する課題を解決するため、本発明に係る無線タグケースは、請求項３に記載したように、前記壁面接触防止窓孔は、前記収納容器の何れかの壁面に設けられることを特徴とする。
【００１３】
さらに、上述する課題を解決するため、本発明に係る無線タグケースは、請求項４に記載したように、前記壁面接触防止手段は、前記収納容器に票札が添付された状態で、前記収納容器と前記票札の無線タグのアンテナ部との間に空気層を確保する壁面接触防止窓孔であり、この壁面接触防止窓孔は、前記票札の無線タグが前記壁面防止窓孔に収まる大きさに形成されることを特徴とする。
【００１４】
一方、上述する課題を解決するため、本発明に係る無線タグケースは、請求項５に記載したように、前記壁面接触防止手段は、前記収納容器に票札が添付された状態で、前記収納容器と前記票札の無線タグのアンテナ部との間に空気層を確保する壁面接触防止窓孔であり、この壁面接触防止窓孔は、貫通穴およびめくら穴のいずれかであることを特徴とする。
【００１５】
また、上述する課題を解決するため、本発明に係る無線タグケースは、請求項６に記載したように、前記壁面接触防止手段は、前記収納容器に票札が添付された状態で、前記収納容器と前記票札の無線タグのアンテナ部との間に空気層を確保する壁面接触防止窓孔であり、この壁面接触防止窓孔は、少なくとも１以上の穴で構成されることを特徴とする。
【００１６】
本発明に係る無線タグケースは、上述する課題を解決するため、請求項７に記載したように、無線タグを付した物品を収納する収納容器の一部を他の部分よりも誘電率が低くなるように形成したことを特徴とする。
【発明の効果】
【００１７】
本発明に係る無線タグケースによれば、票札添付手段に票札を格納した状態にあっても、票札に付された無線タグは、無線タグケースの外表面（壁面）と接触しないので、無線タグ側に十分な電力供給がなされる。従って、票札添付手段に添付される票札の無線タグに十分な電力を供給することができ、質問器と無線タグとの通信時における動作不良の防止を図った無線タグケースを提供することができる。
【発明を実施するための最良の形態】
【００１８】
本発明に係る無線タグケースについて添付の図面を参照して説明する。
【００１９】
図１に本発明に係る無線タグケースの一実施例である無線タグケース１の構成を概略的に表した構成概略図を示す。
【００２０】
尚、以下の無線タグケース１の説明においては、無線タグケース１に収納する内容物を、従来、郵袋で配送される書留郵便２を例に説明する。
【００２１】
図１によれば、無線タグケース１は、頂部（上面）を開口させて形成されており、形成された開口部を出入口３とするボックス形状の収納容器４と、出入口３を上方から覆う蓋５とを備える。収納容器４と蓋５とは、基本的には同じ材質のものが使用され、例えば、ポリカーボネイト樹脂（誘電率：２．９６）等が使用される。
【００２２】
収納容器４は、ｎ（ｎ：任意の自然数）個の仕切板７で書留郵便２を収納する内部空間が、例えば、ｎ＋１個の区画８に仕切られている。そして、仕切板７により仕切られた各区画８には、何らかのカテゴリーに従い整理された書留郵便２が整理した状態で収納される。尚、図１に示される収納容器４は、一例であり、ｎ＝４の場合である。すなわち、内部空間が４枚の仕切板７によって、５個の区画８に仕切られた収納容器４である。
【００２３】
また、収納容器４の出入口３を上面とした場合における側面には、票札９を収納容器４に添付する票札添付手段としての票札ポケット１０が設けられており、この票札ポケット１０に票札９が格納されることで添付される。ここで、票札９とは、収納容器４に収納する書留郵便２のリスト情報を記録した無線タグ１３を付した札であり、票札９の情報を図外の質問器から読み出すことで、収納される書留郵便２のリスト情報を取得できる。
【００２４】
尚、票札ポケット１０は、収納容器４の出入口３を上面とした場合における側面のいずれかに設けられると説明しているが、票札ポケット１０を底面に設けることを意図的に除外するものではない。票札ポケット１０が、収納容器４の出入口３を上面とした場合における側面のいずれかに設けられると説明したのは、あくまで、使用上の便宜の観点からであり、機能上は、どの壁面に票札ポケット１０を設けても問題はない。
【００２５】
また、票札ポケット１０は、票札９を格納することができればよく、強度を特に考慮する必要がないことから、読み取り精度をできるだけ向上させるべく、誘電率が空気に近い材料を用いて形成される。例えば、票札ポケット１０の材料の一例としては、ポリスチレン樹脂（誘電率：２．０〜２．３５）が使用される。さらに、票札ポケット１０は、票札９の視認性向上の観点から透明のものが使用され、離れた位置からでも、票札９の有無が視認できるように図っている。
【００２６】
尚、図１によれば、票札添付手段としての票札ポケット１０は、収納容器４の小さい側の側面に取り付けられているが、他の側面であっても良い。また、運搬上、強度上の問題がないのであれば、底面に票札ポケット１０を設けることを妨げない。さらに、票札ポケット１０は、図示される位置に限らず収納容器４の壁面上の任意の位置に設けて良い。
【００２７】
図２は、図１に示される無線タグケース１の収納容器４に設けられた票札ポケット１０周辺の構造を概略的に表した図である。図２（Ａ）は、図１に示される無線タグケース１の収納容器４についてＩ−Ｉ線に沿う断面を示した断面図、（Ｂ）は、図１に示される無線タグケース１の収納容器４に設けられた票札ポケット１０を正面から見た正面図である。尚、図２（Ａ）に示す矢印１６は、電波の流れを示すものである。
【００２８】
図２（Ａ）によれば、票札ポケット１０内における収納容器４の壁面には、無線タグ１３（特に、無線タグ１３のアンテナ部１４）と収納容器４とが接触するのを防止する壁面接触防止手段としての壁面接触防止窓孔１７が設けられる。
【００２９】
つまり、無線タグケース１は、無線タグ１３を付した書留郵便２を内部に収納する一方、収納する書留郵便２のリスト情報を記録した無線タグ１３付きの票札９を添付する票札ポケット１０を収納容器４の壁面に設ける。そして、票札ポケット１０に票札９が格納された状態で、票札９に付される無線タグ１３のアンテナ部１４が収納容器４の壁面と接触するのを防止する壁面接触防止窓孔１７が設けられる。
【００３０】
収納容器４に壁面接触防止窓孔１７を設けるのは、収納容器４の壁面に誘電率の低い箇所を形成するためである。通常、票札９と収納容器４とでは、収納容器４の誘電率が高くなることから、票札９の収納容器４側の電界が弱まり、票札９の無線タグ１３に十分な電力が供給されなくなってしまう。そこで、収納容器４に壁面接触防止手段としての壁面接触防止窓孔１７を設けることにより、収納容器４の壁面に票札９よりも誘電率の低い箇所を形成することができ、票札９の無線タグ１３に十分な電力を供給することができるようになる。
【００３１】
また、図２（Ｂ）によれば、壁面接触防止手段として収納容器４の壁面に設けられる壁面接触防止窓孔１７は、票札９に付す無線タグ１３の横幅および縦幅よりも大きな開口幅を有し、壁面接触防止窓孔１７に無線タグ１３が収まることができることがわかる。壁面接触防止窓孔１７を票札９に付す無線タグ１３よりも大きく形成するのは、無線タグ１３のアンテナ部１４が収納容器４の壁面と接するのを防止し、無線タグ１３のアンテナ部１４が定常的に空気にさらされる状態を確保するためである。
【００３２】
壁面接触防止窓孔１７を票札９に付す無線タグ１３よりも大きく形成することで、無線タグ１３のアンテナ部１４は、収納容器４の壁面と接する事がなくなり、図２（Ａ）に示す電波１６が、無線タグ１３のアンテナ部１４にも十分に到達するので、無線タグ１３に十分な電力を供給することができ、無線タグ１３と外部の質問器（図に示さず）との通信時における動作不良を防止することができる。
【００３３】
ところで、無線タグ１３のアンテナ部１４と収納容器４との間に空気層を確保するだけの観点からすれば、壁面接触防止窓孔１７を票札９に付す無線タグ１３よりも大きく形成する必要性はないと思われる。実際のところ、壁面接触防止窓孔１７が、無線タグ１３よりも小さくても、無線タグ１３のアンテナ部１４が空気にさらされる程度の大きさに形成されていれば、十分である。
【００３４】
しかしながら、壁面接触防止窓孔１７が、無線タグ１３よりも小さい場合、票札ポケット１０内部で票札９が動いても、無線タグ１３のアンテナ部１４が収納容器４と接しないようにしたり、または票札ポケット１０内部で票札９が動かないような工夫が必要になる等の煩わしさがある。その一方で、壁面接触防止窓孔１７が、無線タグ１３よりも大きい場合、特別な工夫を要することもなく、定常的に無線タグ１３のアンテナ部１４を空気にさらすことができるメリットがある。
【００３５】
そこで、無線タグケース１では、より簡便で効果が得られる壁面接触防止窓孔１７を無線タグ１３よりも大きく形成している。また、壁面接触防止窓孔１７を無線タグ１３よりも大きく形成するメリットは、無線タグ１３が壁面接触防止窓孔１７に収まることができる点にある。
【００３６】
つまり、他の無線タグケース１が密接していても、無線タグ１３自体が壁面接触防止窓孔１７に収まるので、他の無線タグケース１に添付される無線タグ１３と密着することがなく、無線タグ１３同士が密着することに起因する通信時の動作不良をも防止することができる。
【００３７】
尚、無線タグケース１では、壁面接触防止手段として壁面接触防止窓孔１７を採用しているが、より簡便であるが故に採用しているに過ぎず、無線タグ１３（特に、無線タグ１３のアンテナ部１４）と収納容器４とが接触するのを防止する趣旨であることを考慮すれば、壁面接触防止窓孔１７以外の壁面接触防止手段を採用しても何ら差し支えない。
【００３８】
例えば、収納容器４の票札ポケット１０内、かつ、収納容器４の外表面にリブを設け、無線タグ１３と収納容器４の外表面との間に空気層ができるように収納容器４を形成しても良い。また、図２によれば、壁面接触防止窓孔１７は、貫通穴として形成されているが、必ずしも貫通していることを要しない。無線タグ１３と収納容器４の外表面との間に空気層を確保できれば良いことを考慮すれば、少なくとも、壁面接触防止窓孔１７の深さが、無線タグ１３の厚さ以上に形成されるのであれば、めくら穴（非貫通穴）であっても良い。
【００３９】
さらに、壁面接触防止窓孔１７は、図２によれば、四角形の単一穴に形成されているが、形状は任意で良い。さらにまた、必ずしも、単一穴でなくても良く、例えば、複数の穴を網目状に形成したり、スリット状に形成したりしても良い。
【００４０】
以上、本発明に係る無線タグケースによれば、壁面接触防止手段を設けることで、無線タグ１３のアンテナ部１４が収納容器４の壁面と接するのを防止し、無線タグ１３のアンテナ部１４と収納容器４との間に空気層を確保することができる。無線タグ１３のアンテナ部１４と収納容器４との間に空気層を確保することで、電波１６が、無線タグ１３のアンテナ部１４にも十分に到達し、無線タグ１３に十分な電力を供給することができるので、無線タグ１３と外部の質問器（図に示さず）との通信時における動作不良を防止することができる。
【００４１】
また、壁面接触防止手段として壁面接触防止窓孔１７を設け、さらに、穴の大きさを無線タグ１３よりも大きく形成することによって、収納容器４が密接する環境下にあっても、無線タグ１３同士の接触を避けることができるので、無線タグ１３同士が接触することに起因する動作不良を防止することができる。
【００４２】
尚、無線タグケース１の収納容器４の形状は、必ずしも、ボックス形状であることを要しない。また、収納容器４および蓋５の材質は、ポリカーボネイトに限定される訳ではなく、例えば、ポリプロピレン（誘電率：２．０〜２．３）のように他の材料を使用しても良い。さらに、一般には、収納容器４および蓋５の材質は、同じ物質を用いるが、異なることを妨げない。
【００４３】
さらにまた、図１および図２によれば、票札添付手段は、票札ポケット１０としているが、収納容器４に票札９を添付できれば良いので、必ずしも票札ポケット１０に限定されない。例えば、収納容器４に票札９を保持するクリップを形成し、票札９をクリップで挟むことで添付したり、票札９を両面テープを用いて収納容器４に貼付することで添付する等しても良い。
【００４４】
一方、本発明に係る無線タグケース１は、書留郵便２を収納した例で説明しているが、もちろん、書留郵便２以外にも他の物品を収納して使用することもできる。
【図面の簡単な説明】
【００４５】
【図１】本発明に係る無線タグケースの構成を概略的に表した構成図。
【図２】本発明に係る無線タグケースの収納容器に設けられた票札ポケット周辺の構造を概略的に表した図であり、（Ａ）は、図１に示されるＩ−Ｉ線に沿う断面を示した断面図、（Ｂ）は、収納容器に設けられた票札ポケットを正面から見た正面図。
【符号の説明】
【００４６】
１  無線タグケース
２  書留郵便
３  出入口
４  収納容器
５  蓋
７  仕切板
８  区画
９  票札
１０  票札ポケット（票札添付手段）
１３  無線タグ
１４  アンテナ部
１６  電波
１７  壁面接触防止窓孔（壁面接触防止手段）
【図１】
2005255211.tif 000003
【図２】
2005255211.tif 000004